(57)【特許請求の範囲】
【請求項１】
指定された用紙種別に基づき該指定された紙質の用紙が収容されている給紙トレイを自動的に選択して給紙を行う自動用紙選択機能を有する印刷装置と、該印刷装置に対して前記自動用紙選択機能を用いた印刷を指示する印刷指示端末とを具えた印刷システムであって、
前記印刷指示端末は、指定手段と前記指定手段で指定された用紙種別に関する情報を付加した１つの印刷ジョブを生成する生成手段とを具備し、前記指定手段は、前記生成手段が生成する１つの印刷ジョブの中で、少なくとも２ページ以上の範囲を区切り、該範囲に前記自動用紙選択機能による給紙を行う際の優先する用紙種別を指定し、
前記印刷装置は、前記印刷対象となる文書の印刷ジョブを受信し該受信した印刷ジョブに付加されている用紙種別に基づいて、前記自動用紙選択機能用紙の優先とする紙質を切り換える制御手段とを具備する
ことを特徴とする印刷システム。
【発明の詳細な説明】
【０００１】
【発明の属する技術分野】
本発明は、指定された用紙種別情報に基づき指定された用紙種別の用紙が収容されている給紙トレイを自動的に選択して給紙を行う自動用紙選択機能を有する印刷装置を具えた印刷システムに関し、特に、自動用紙選択機能を有する印刷装置を用いて１度にプリント出力する文書を複数の用紙種別を混在させた形態で出力させたい利用者にとっての使い勝手を向上させることができ、また、１度にプリント出力する文書を複数の用紙種別を混在させた形態で出力する場合でも紙詰まりや印刷品質の劣化が生じることを未然に防ぐことができるようにした印刷システムに関するものである。
【０００２】
【従来の技術】
近年では、複数の自動給紙トレイ毎に収納されている用紙の種別情報を予め設定し、ユーザにより一度にプリント出力する出力１文書（即ち、１つの印刷ジョブ）に対して用紙種別（普通紙、厚紙、ＯＨＰ、フィルム…）を指定した印刷が指示された場合、上記予め設定されている用紙種別情報に基づき複数の自動給紙トレイから指定された種別の用紙が収容されている自動給紙トレイを自動的に選択し、その選択した自動給紙トレイから用紙を給紙して印刷を行う機能［紙質ＡＰＳ（Auto  Paper  Select）機能］を搭載した印刷装置と、この印刷装置に対して上記ＡＰＳ機能を用いた印刷を指示するクライアント端末とを具えた印刷システムが知られている（特許文献１参照）。
【０００３】
ところが、このような紙質ＡＰＳ機能を使用してプリント出力する従来の印刷システムにおいては、例えば、クライアント端末にて表示される印刷設定画面において出力１文書（即ち、１つの印刷ジョブ）に対してユーザが指定できる用紙種別（用紙媒体）は１つのみである為、出力される全てのページが単一の用紙種別に限定されてしまう。
【０００４】
そこで、従来、ユーザが一度にプリント出力する出力１文書を複数の用紙種別を混在させて出力させる場合には、ユーザは上述の印刷設定画面において、紙質ＡＰＳによる用紙選択に加え、他の用紙種別については給紙トレイの番号を直接指定するマニュアル選択方法を採らなければならない。具体的には、例えば、上記印刷設定画面において、用紙種別（用紙媒体）設定領域にて用紙種別「普通紙」を選択指定し、次いで、給紙方法設定領域にて、１ページ目に、紙質ＡＰＳによる給紙を行う「自動選択」を選択指定し、２ページ目以降に、上記自動選択の用紙種別「普通紙」以外の用紙種別がセットされているユーザ所望の「トレイ１」等を選択指定する。
【０００５】
ところが、このような方法では、ユーザはトレイ番号を指定するにあたって事前にどのトレイに所望の用紙種別の用紙が収容されているかを知る必要がある。また、このような方法では、異なる用紙種別の用紙がセットされている給紙トレイを複数指定できることになるが、実際には、紙質ＡＰＳにより給紙を行う「自動選択」で指定した用紙種別情報「普通紙」しか印刷装置に送出されないので、ユーザが指定した「トレイ１」の用紙種別情報は印刷装置に送出されず、印刷装置側では、その「トレイ１」にセットされている用紙種別に応じた適切な印刷制御を行えない。
【０００６】
即ち、例えば、トレイ１にＯＨＰがセットされているような場合には、ＯＨＰに印字する際に定着器において好ましい定着温度制御を行えない為、印刷品質劣化の生じた印刷出力が行われることになる。また、例えば、トレイ１に厚紙がセットされているような場合には、普通紙とは異なる厚さの厚紙を内部で送り制御するような際に好ましい送り制御を行うことができず、紙詰まり等が発生する虞がある。
【０００７】
また、従来では、上述の印刷設定画面にて出力１文書（１つの印刷ジョブ）に対して手差し給紙トレイからの給紙と上記ＡＰＳ機能による給紙とを組み合わせた印刷指定をする場合、手差し給紙トレイからの給紙において指定できる用紙種別としては、紙質ＡＰＳ機能による給紙において指定した用紙種別と同じものしか指定することができない。即ち、上記印刷設定画面において、給紙方法設定領域にて、１ページ目に「自動選択」を選択指定し、２ページ目以降に、「手差し」を選択指定したとしても、ユーザが指定できる用紙種別としては、用紙種別（用紙媒体）設定領域にて、上記選択指定した給紙方法に関係無く、予め用意されている普通紙、厚紙、ＯＨＰ等の選択項目の中からいずれか１種類、例えば「普通紙」といった具合に１つのみしか指定できないものとなっている。
【０００８】
従って、このような方法でも、異なる用紙種別の用紙がセットされている給紙トレイを複数指定できることになるが、実際には、紙質ＡＰＳにより給紙を行う「自動選択」で指定した用紙種別情報「普通紙」しか印刷装置に送出されないので、ユーザが指定した「手差しトレイ」の用紙種別（厚紙）情報は印刷装置に送出されず、印刷装置側では、その「手差しトレイ」にセットされている用紙種別に応じた適切な印刷制御を行えない。
【０００９】
即ち、手差しトレイに厚紙がセットされているような場合には、普通紙とは異なる厚さの厚紙を内部で送り制御するような際に好ましい送り制御を行うことができず、紙詰まり等が発生する虞がある。また、例えば、手差しトレイにＯＨＰがセットされているような場合には、ＯＨＰに印字する際に定着器において好ましい定着温度制御を行えない為、印刷品質劣化の生じた印刷出力が行われることになる。
【００１０】
【特許文献１】
特開２００２−１５４６９１号公報。
【００１１】
【発明が解決しようとする課題】
上述の如く、従来の紙質ＡＰＳ機能を使用してプリント出力する印刷システムにおいては、クライアント端末で表示されるＡＰＳ機能を用いた印刷を指示する設定画面においてユーザが指定できる用紙種別は１つのみである為、出力される全てのページが単一の用紙種類に限定されてしまい、ユーザが一度にプリント出力する文書を複数の用紙種別を混在させて出力したい場合でも、複数の用紙種別を指定することができない都合上無理であり、ユーザにとって大変使い勝手が悪いものとなっている。
【００１２】
また、従来、ユーザが一度にプリント出力する出力１文書を複数の用紙種別を混在させて出力させる場合には、ユーザは上述の印刷設定画面において、紙質ＡＰＳによる用紙選択に加え、他の用紙種別については給紙トレイの番号を直接指定するマニュアル選択方法を採らなければならず、また、ユーザは事前にどのトレイに所望の用紙種別の用紙が収容されているかを知る必要があり、ユーザにとって操作上大変使い勝手が悪いものとなっている。
【００１３】
また、従来、上述の印刷設定画面にて出力１文書（１つの印刷ジョブ）に対して手差し給紙トレイからの給紙と上記ＡＰＳ機能による給紙とを組み合わせた印刷指定をする場合、手差し給紙トレイからの給紙において指定できる用紙種別としては、紙質ＡＰＳ機能による給紙において指定した用紙種別と同じものしか指定することができないため、異なる用紙種別の用紙がセットされている給紙トレイを複数指定できることになるが、実際には、紙質ＡＰＳにより給紙を行う「自動選択」で指定した用紙種別情報しか印刷装置に送出されないので、ユーザが指定した手差しトレイの用紙種別情報は印刷装置に送出されず、印刷装置側では、その手差しトレイにセットされている用紙種別に応じた適切な印刷制御を行えず、その結果、紙詰まりや印刷品質劣化を生じることとなる。
【００１４】
そこで、本発明は上記実状に鑑み、自動給紙方法を指定する場合でもユーザが複数の用紙種別を指定可能とし、印刷装置側で指定された複数の用紙種別毎に自動給紙制御を行わせることにより、自動給紙指定においても１度にプリント出力する文書を複数の用紙種別を混在させた形態で出力でき、ユーザの使い勝手を向上させることが可能な印刷システムの提供を目的とするものである。
【００１５】
また、本発明は上記実状に鑑み、１度にプリント出力する文書を複数の用紙種別を混在させた形態で出力させるような場合に、それら複数の用紙種別を印刷装置側で認識させ用紙種別毎に適した印刷処理を行わせることにより、紙詰まりや印刷品質の劣化を防ぐことが可能な印刷システムの提供を目的とするものである。
【００１６】
【課題を解決するための手段】
上述した目的を達成するため、請求項１記載の発明は、
指定された用紙種別に基づき該指定された紙質の用紙が収容されている給紙トレイを自動的に選択して給紙を行う自動用紙選択機能を有する印刷装置と、該印刷装置に対して前記自動用紙選択機能を用いた印刷を指示する印刷指示端末とを具えた印刷システムであって、前記印刷指示端末は、指定手段と前記指定手段で指定された用紙種別に関する情報を付加した１つの印刷ジョブを生成する生成手段とを具備し、前記指定手段は、前記生成手段が生成する１つの印刷ジョブの中で、少なくとも２ページ以上の範囲を区切り、該範囲に前記自動用紙選択機能による給紙を行う際の優先する用紙種別を指定し、前記印刷装置は、前記印刷対象となる文書の印刷ジョブを受信し該受信した印刷ジョブに付加されている用紙種別に基づいて、前記自動用紙選択機能用紙の優先とする紙質を切り換える制御手段とを具備することを特徴とする。
【００４３】
【発明の実施の形態】
以下、本発明に係わる印刷システムの実施の形態を添付図面を参照して詳細に説明する。
【００４４】
図１は、本発明を適用した印刷システム１００の一構成例を示す図である。
【００４５】
図１において、この印刷システム１００は、クライアント端末１［クライアント端末（１）〜クライアント端末（Ｎ）（Ｎ：任意の整数）］と、印刷装置２とをネットワーク３で接続して構成される。
【００４６】
ここで、クライアント端末１は、印刷装置２に印刷を指示する利用者端末であり、例えば、パーソナルコンピュータ（ＰＣ）で実現される。特に、本実施例では、後述の図５（詳しくは、図１０や、図１２や、図１４や、図１６）の処理を行うプリンタドライバを有している。
【００４７】
尚、このプリンタドライバは、図示しないインターネット経由でダウンロードしてインストールしても良いし、印刷装置を購入した際に添付されて取得或いは別購入にて取得したＣＤ−ＲＯＭから読み込んでインストールしても良い。
【００４８】
また、印刷装置２は、上記クライアント端末１からの印刷ジョブを受信して用紙への印字処理を実行する。例えば、プリンタや、プリンタ機能やＦＡＸ機能やスキャナ機能等を具える複合機から実現される。そして、本実施例では、複数の自動給紙トレイ毎に収容されている用紙の種別情報（後述の図４参照）を予め設定し、ユーザにより自動給紙方法および用紙種別を指定した印刷が指示された場合、複数の自動給紙トレイから指定された種別の用紙が収容されている自動給紙トレイを自動的に選択し、その選択した自動給紙トレイから用紙を給紙して印刷を行う紙質ＡＰＳ（Auto Paper Select）機能を有している。
【００４９】
特に、本実施例では、上述のクライアント端末１のプリンタドライバにて付加された設定情報を解析し、ユーザにより一つの印刷ジョブにおいて指定されている１又は複数の給紙方法及び１又は複数の用紙種別を判別して給紙制御を行うと共に、上記判別した用紙種別情報に基づき用紙種別に応じて適した印刷処理を行う印刷処理制御部を具えている。
【００５０】
また、ネットワーク３は、上記クライアント端末１と印刷装置２とを通信接続するネットワークであり、例えば、ＬＡＮケーブル等により実現される。
【００５１】
また、図２は、図１に示したクライアント端末１の詳細な構成を示す図であり、図３は、図１に示した印刷装置２の詳細な構成を示す図である。
【００５２】
図２において、このクライアント端末１は、例えば、筐体内部に、制御部１１と、表示処理部１２と、操作処理部１３と、記憶媒体読取り／書込み部１４と、作業メモリ部１５と、記憶装置（ＨＤＤ）１６と、通信インタフェース部１７とを具え、筐体外部に、ディスプレイ１−１と、キーボード１−２と、マウス１−３とを具えて構成される。
【００５３】
ここで、制御部１１は、このクライアント端末における各種処理を制御する。特に、本実施例では、ユーザにより印刷装置２での印刷をする為に上述のプリンタドライバソフトを起動する所定の操作が行われた場合に、そのプリンタドライバソフトを立ち上げ、そのソフトの処理動作を制御する。即ち、ユーザが印刷設定をする為の所定のＵＩ画面（後述の図６の印刷設定画面等）をディスプレイ１−１上に表示すると共に、その表示したＵＩ画面におけるユーザの入力設定を示す印刷設定情報を付加した印刷ジョブを生成して印刷装置２へ出力する制御を行う。特に、上記印刷設定情報には、▲１▼紙質ＡＰＳにおける用紙種類指定において複数の用紙種類を指定した情報や、▲２▼紙質ＡＰＳと手差し給紙の両方を用いた用紙種類指定においてそれぞれ個別の用紙種類を指定した情報や、▲３▼ＯＨＰ合紙、用紙挿入、バナーシートなどプリント本文と別の用紙を出力する場合の用紙種類指定において、プリント本文とそのプリント本文とは別の用紙それぞれ個別に用紙種類を指定した情報や、▲４▼出力１文書の先頭ページ、最終ページ、または任意のページ等の特定ページと、その他のページそれぞれ個別に用紙種類を指定した情報等が含まれる。
【００５４】
表示処理部１２は、制御部１１の制御の下でディスプレイ１−１への各種情報の表示処理を行う。特に、本実施例では、上記プリンタドライバにおける印刷設定のＵＩ画面（図６の印刷設定画面等）の表示処理を行う。
【００５５】
操作処理部１３は、制御部１１の制御の下でキーボード１−２或いはマウス１−３からのユーザ操作に応じた入力信号の入力処理を行う。特に、本実施例では、ディスプレイ１−１に表示された印刷設定のＵＩ画面（図６の印刷設定画面等）におけるユーザの設定の入力処理を行う。
【００５６】
記憶媒体読取り／書込み部１４は、ＤＶＤや、ＣＤ−ＲＯＭや、フロッピー（登録商標）ディスク等の各種記憶媒体に記憶されているデータを読取ったり、或いはそれら各記憶媒体にデータを書き込む。
【００５７】
作業メモリ部１５は、ワークメモリであり、作業中のデータを一時記憶する。
【００５８】
記憶装置１６は、このクライアント端末１における各種処理プログラムや設定情報やユーザが記憶保持を希望する印刷データ等のデータを記憶保持するハードディスク（ＨＤＤ）や大型のメモリである。
【００５９】
通信インタフェース部１７は、ネットワーク３を介して印刷装置２との印刷ジョブやその印刷ジョブに係わる印刷進捗状況等の情報のやり取りを行うインタフェースである。
【００６０】
ディスプレイ１−１は、各種情報を表示する表示部であり、ユーザとのインタフェースを採る。特に、本実施例では、上述のプリンタドライバソフトに従って所定の印刷設定ＵＩ画面を表示する。
【００６１】
キーボード１−２及びマウス１−３は、ユーザの操作を受け付ける操作部であり、ユーザの操作入力信号を入力するユーザインタフェースを採る。特に、本実施例では、上述のディスプレイ１−１に表示した印刷設定ＵＩ画面上でのユーザ指定を入力する為に用いられる。
【００６２】
即ち、このクライアント端末１は、ユーザの指示に応じて、この装置でワープロソフト等で作成された文書データ或いは描画ソフト等で作成された画像データや、記憶媒体読取り／書込み部１４で読取ったデータや、図示しない通信インタフェース部を介してインターネット等のネットワークから受信したデータ等の印刷を印刷装置２に指示する。尚、図２では特に示していないが、スキャナ等で入力したデータも印刷可能であるものとする。
【００６３】
図３において、この印刷装置２は、印刷処理制御部２１と、通信インタフェース部２２と、メモリ部２３と、記憶装置（ＨＤＤ）２４と、印刷機構部２５と、表示・操作パネル部２６とを具えて構成される。
【００６４】
ここで、印刷処理制御部２１は、この印刷装置における印刷処理を制御する制御部である。特に、本実施例では、後述の通信インタフェース部２２を介して上述のクライアント端末１から受信した印刷ジョブＡに付加されている設定情報を解析し、その１つの印刷ジョブにおいて指定されている１又は複数の給紙方法および１又は複数の用紙種別を判別する用紙種別判別手段２１−１を有し、この用紙種別判別手段２１−１により判別した給紙方法および用紙種別情報と図４に示す用紙種別設定テーブルの内容を参照してＡＰＳ機能による給紙制御や、指定された自動給紙トレイ或いは手差しトレイにセットされている用紙を給紙制御すると共に、上記判別した用紙種別情報に基づき用紙種別毎に印刷品質が最良となるように後述の印刷機構部での装置内部の紙送りローラ回転速度や定着温度等の各種印刷処理調節制御を行う。
【００６５】
通信インタフェース部２２は、ネットワーク３を介してクライアント端末１とのデータのやり取りを行うインタフェース部である。
【００６６】
メモリ部２３は、通信インタフェース部２２で受信した印刷データ等を一時記憶したり、ビットマップに展開した印刷データを記憶するワークメモリである。
【００６７】
記憶装置２４は、この印刷装置における各種処理プログラムや設定情報等を記憶保持する。
【００６８】
印刷機構部２５は、手差し給紙トレイや複数の自動給紙トレイ（１〜Ｎ）（Ｎ：任意の整数）を具え、それら給紙トレイにセットされている用紙（所定のフォーマットが印字されている用紙や、ＯＨＰフィルム、ハガキ、カラー用紙、再生紙、光沢紙、普通紙など）に印刷データに基づく画像の印字を行って図示しない出力トレイに出力用紙を排出する一連の印刷工程を行う機構部である。また、ホッチキス止めやパンチング等の後処理も行う。特に、本実施例では、上記印刷処理制御部２１の制御により一つの印刷ジョブにおいてユーザにより指定された複数の用紙種別に応じたＡＰＳ給紙制御、指定された自動給紙トレイ或いは手差しトレイからの給紙制御や、その指定された用紙種別毎の各種印刷処理調節を行う。尚、各種印刷処理調節としては、用紙種別毎に種別に適した紙送り速度の調節や定着器における定着温度の調節等を行う。
【００６９】
表示・操作パネル部２６は、タッチパネル等であり、各種情報を表示したり、ユーザの指示操作を入力するユーザインタフェース部である。
【００７０】
図４は、図３に示した印刷処理制御部２１が参照する用紙種別設定テーブルの一構成例を示す図である。
【００７１】
図４において、この用紙種別設定テーブル２１−１は、印刷装置２が実装する複数の自動給紙トレイ毎にそれぞれ収容している用紙の種別を示す情報を設定する。尚、この設定情報では、印刷装置２の自動給紙トレイ１と自動給紙トレイ２に「普通紙」が、自動給紙トレイ３に「上質紙」が、自動給紙トレイ４に「再生紙」が、自動給紙トレイ５に「厚紙」が、自動給紙トレイ６に「ＯＨＰ」が収容されている場合を示している。
【００７２】
そして、この用紙種別設定テーブル２１−１を用意することで、印刷処理制御部２１がユーザにより指定された用紙種別の用紙が収容されている自動給紙トレイを自動的に選択してユーザ所望の用紙を給紙して印刷することができる。
【００７３】
尚、この図４に示したテーブルは、印刷処理制御部２１が持ってても、他の部分に持たせても良く、いずれにしても印刷処理制御部２１が参照可能なように設ける。
【００７４】
ここで、上記構成による本発明の大まかな処理動作について図５を用いて説明する。
【００７５】
図５において、本発明においては、クライアント端末１において、プリンタドライバ１６−１が出力文書中の、ページ単位や出力用紙単位やユーザが指定した範囲などの単位毎にユーザにより指定された給紙方法［ＡＰＳ機能により指定された用紙種別の用紙が収容されている自動給紙トレイを自動的に選択して給紙を行う場合や、指定された自動給紙トレイから給紙を行う場合や、指定された手差しトレイから給紙を行う場合など：（Ｘ）］と用紙種別［普通紙や、上質紙や、再生紙や、厚紙や、ＯＨＰなど：（Ｙ）］を示す情報や、出力１文書のプリント本文の出力用紙（尚、この場合も、上記同様にページ単位毎に給紙方法及び用紙種別指定可能）とそのプリント本文に付加挿入する他の出力用紙個別にそれぞれユーザにより指定された給紙方法［上記（Ｘ）と同様のもの］と用紙種別［上記（Ｙ）と同様のもの］を示す情報などを付加した一つの印刷ジョブＡを生成出力する処理ステップ（Ｓ１）を行う。
【００７６】
そして、印刷装置２において、上記クライアント端末１で出力された印刷ジョブＡを受信し、印刷処理制御部２１がその印刷ジョブＡに付加されている情報を解析し、ユーザにより指定されている給紙方法及び用紙種別を判別する用紙種別判別処理ステップ（Ｓ２）を行う。
【００７７】
その後、印刷装置２では、判別した複数の用紙種別に基づき、印刷処理制御部２１の制御の下、印刷機構部２５が出力ページ毎に指定されている給紙方法及び用紙種別の情報に従って給紙制御をすると共に、指定された用紙種別毎に適した各種印刷処理動作（例えば、厚紙や、ＯＨＰや、普通紙といった用紙種別毎に紙送り速度や定着温度の調節処理等）を行って印字出力する処理ステップ（Ｓ３）を行う。
【００７８】
これにより、ＡＰＳ機能を用いた印刷指示においてもユーザは所望する複数の用紙種別を指定することで、印刷装置側でユーザにより指定された複数の用紙種別に応じてＡＰＳ機能を用いた給紙制御が行われ、ユーザ所望の複数の用紙種別が混在した出力結果が得られると共に、従来、単一の用紙種別情報に基づいて印字処理動作を行っていたことで発生していた紙詰まりや印刷品質の低下といった問題点を解消し、良好な印刷品質結果と共にユーザが所望する複数の用紙種別を混在した出力結果（図のＢ）を得ることができる。
【００７９】
次に、上記図５で説明した本発明の処理動作についてユーザの具体的な指定操作例を示しつつ印刷システム（プリンタドライバと印刷装置間）の具体的な処理動作（１）〜処理動作（４）について図６乃至図１６を用いて説明する。尚、以下の説明では、ユーザが上記図１及び図２に示したクライアント端末１にて所定のワープロソフトで作成した文書を印刷する場合について説明する。
【００８０】
最初に、処理動作（１）として、ユーザが出力１文書のページ単位毎にＡＰＳ機能による自動給紙方法を指示すると共に、各ページ毎の用紙種別を指定した場合のクライアント端末１のプリンタドライバ及び印刷装置の処理動作について説明する。
【００８１】
尚、ここでは、ユーザの印刷指示例として、ユーザが全てのページでＡＰＳ機能による自動給紙を行う給紙方法を指定すると共に、出力１文書の最初のページ１を厚紙で印刷し、それ以降（２ページ以降）のページを普通紙にて印刷出力する指示をする場合について説明する。
【００８２】
まず、ユーザは、クライアント端末１の所定のワープロソフトで作成した文書を印刷する場合にそのワープロソフトでディスプレイ１−１に表示されるＵＩ画面の所定の印刷指示項目をキーボード１−２或いはマウス１−３等を用いて選択する。
【００８３】
すると、クライアント端末１では、ディスプレイ１−１に図６に示すような印刷画面１００１を表示する。尚、この例では、上記図５で説明した処理ステップを行うプリンタドライバとして、プリンタ名「Ｆｕｊｉプリンタ」のプリンタドライバが設定されているものとする。
【００８４】
その後、ユーザは、この印刷設定画面１００１に具わる「プロパティ」ボタン１００１−１をキーボード１−２或いはマウス１−３等を用いて選択押下する（Ｓ１０１）。
【００８５】
すると、ディスプレイ１−１に図７に示す印刷設定画面１００２が切り替え表示される。
【００８６】
その後、ユーザは、この印刷設定画面１００２に具わる給紙方法設定領域１００２−１の通常の給紙指定領域１００２−１ａにおいて１ページ目の給紙方法として「自動１」をキーボード１−２或いはマウス１−３等を用いて選択指定すると共に（Ｓ１０２）、２ページ目以降の給紙方法として「自動２」をキーボード１−２或いはマウス１−３等を用いて選択指定する（Ｓ１０３）。尚、この給紙方法設定領域における選択項目「自動１」及び「自動２」は、印刷装置においてＡＰＳ機能により複数の自動給紙トレイを自動的に選択して給紙を行う給紙方法を指定するものであり、また、選択項目「トレイ１」…「トレイＭ」は、ユーザにより指定された自動給紙トレイから給紙を行う給紙方法を指定するものであり、また、選択項目「手差しトレイ」は、手差しトレイにセットされている用紙を給紙する給紙方法である。また、「１ページ目と同一」は、１ページ目でユーザが選択指定した上述の「自動１」，「自動２」、「トレイ１」…「トレイＭ」、「手差しトレイ」のいずれかの給紙方法と同一の給紙方法を行う場合を指定するものである。
【００８７】
その後、ユーザは、同画面１００２に具わる「トレイ／排出」ボタン１００２−２をキーボード１−２或いはマウス１−３等を用いて選択指定する（Ｓ１０４）。
【００８８】
すると、ディスプレイ１−１に図８に示す印刷設定画面１００３が切り替え表示される。
【００８９】
その後、ユーザは、この印刷設定画面１００３以降、まず、１ページ目の用紙種類として「厚紙」を設定するものとする。
【００９０】
この場合、ユーザは、上記Ｓ１０２にて１ページ目の給紙方法として「自動１」を指定しているので、印刷設定画面１００３に具わる用紙トレイ選択項目１００３−１において、「自動１」をキーボード１−２或いはマウス１−３等を用いて選択指定する（Ｓ１０５）。
【００９１】
その後、ユーザは、同設定画面１００３に具わる用紙種類の優先指定項目ボタン１００３−２をキーボード１−２或いはマウス１−３等を用いて選択指定する（Ｓ１０６）。
【００９２】
すると、ディスプレイ１−１に図９に示す自動給紙トレイの用紙種類設定画面１００４が切り替え表示される。
【００９３】
その後、ユーザは、この設定画面１００４に具わる用紙種類指定項目１００４−１において、１ページ目の用紙種別として「厚紙」をキーボード１−２或いはマウス１−３等を用いて選択指定する（Ｓ１０７）。
【００９４】
ここで、所望の用紙種別が設定できると、ユーザは同設定画面に具わる「ＯＫ」ボタン１００４−２をキーボード１−２或いはマウス１−３等を用いて選択指定する（Ｓ１０８）。尚、この時、上記一連の操作に基づく１ページ目の給紙方法に関連付けた用紙種別情報がプリンタドライバにより一時記憶される。
【００９５】
すると、ディスプレイ１−１に図８に示す印刷設定画面１００３が切り替え表示される。
【００９６】
その後、ユーザは、２ページ目以降の用紙種類として「普通紙」を設定するものとする。
【００９７】
この場合、ユーザは、上記Ｓ１０３にて２ページ目以降の給紙方法として「自動２」を指定しているので、印刷設定画面１００３に具わる用紙トレイ選択項目１００３−１において、「自動２」をキーボード１−２或いはマウス１−３等を用いて選択指定する（Ｓ１０９）。
【００９８】
その後、ユーザは、同設定画面１００３に具わる用紙種類の優先指定項目ボタン１００３−２をキーボード１−２或いはマウス１−３等を用いて選択指定する（Ｓ１１０）。
【００９９】
すると、ディスプレイ１−１に図９に示す自動給紙トレイの用紙種類設定画面１００４が切り替え表示される。
【０１００】
その後、ユーザは、この設定画面１００４に具わる用紙種類指定項目１００４−１において、２ページ目以降の用紙種別として「普通紙」をキーボード１−２或いはマウス１−３等を用いて選択指定する（Ｓ１１１）。
【０１０１】
ここで、所望の用紙種別が設定できると、ユーザは同設定画面に具わる「ＯＫ」ボタン１００４−２をキーボード１−２或いはマウス１−３等を用いて選択指定する（Ｓ１１２）。
【０１０２】
すると、ディスプレイ１−１に図８に示す印刷設定画面１００３が切り替え表示される。尚、この時、上記一連の操作に基づく２ページ目以降の給紙方法に関連付けた用紙種別情報がプリンタドライバにより一時記憶される。
【０１０３】
その後、ユーザは同設定画面１００３に具わる「ＯＫ」ボタン１００３−３をキーボード１−２或いはマウス１−３等を用いて選択指定する（Ｓ１１３）。
【０１０４】
すると、ディスプレイ１−１に図６に示す印刷画面１００１が切り替え表示される。
【０１０５】
ここで、ユーザは所望の給紙方法及び用紙種別が設定できたので、同設定画面１００１に具わる「ＯＫ」ボタン１００１−２をキーボード１−２或いはマウス１−３等を用いて選択指定することにより印刷開始を指示する（Ｓ１１４）。
【０１０６】
次に、上述のような（Ｓ１０１）〜（Ｓ１１４）の一連のユーザ設定処理が行われた場合のクライアント端末１におけるプリンタドライバ１６−１の印刷ジョブ生成出力処理と、その生成出力処理によりクライアント端末１から出力された印刷ジョブを受信して処理する印刷装置２の印刷処理動作について図１０を用いて説明する。
【０１０７】
図１０において、クライアント端末１では、プリンタドライバ１６−１が、上記図６乃至図９の各種設定画面のユーザ指定により一時記憶した設定情報に基づき、各ページ単位毎の給紙方法及び用紙種別を指示する情報を付加した印刷ジョブＡ１を生成して出力する。
【０１０８】
この場合、ユーザにより出力１文書の最初のページ１をＡＰＳ機能により自動給紙トレイから厚紙を自動給紙させ、２ページ目以降をＡＰＳ機能による自動給紙トレイから普通紙を自動給紙させて印刷を行う設定がされているので、プリンタドライバ１６−１は、同図１０に示すような出力１文書のページ単位の用紙種別パラメータ（Ｐ１）を生成する。
【０１０９】
具体的には、そのパラメータ（Ｐ１）の内容としては、ページ１をＡＰＳ機能により自動給紙を行う給紙方法を示す情報として「ページ１の用紙トレイ指定：自動１」が設定されると共に、そのページ１のＡＰＳ機能による自動給紙の対象となる用紙種別を示す情報として「自動１の用紙種別：厚紙」が設定される。また、ページ２以降最終ページまでをＡＰＳ機能により自動給紙を行う給紙方法を示す情報として「ページ２の用紙トレイ指定：自動２」…「ページＮ−１の用紙トレイ指定：自動２」，「ページＮの用紙トレイ指定：自動２」が設定されると共に、それら２ページ以降最終ページまでのＡＰＳ機能による自動給紙の対象となる用紙種別を示す情報として「自動２の用紙種別：普通紙」が設定される。
【０１１０】
そして、プリンタドライバ１６−１は、この設定したパラメータ（Ｐ１）を付加した印刷ジョブＡ１を印刷装置２に向けて送出する。
【０１１１】
また、他方、印刷装置２では、クライアント端末１から送出された印刷ジョブＡ１を受信すると、まず、印刷処理制御部２１において用紙種別パラメータ（Ｐ１）を解析し、ページ単位毎に指定されている給紙方法及び用紙種別を判別する。
【０１１２】
この場合は、ページ１がＡＰＳ機能による自動給紙を行う給紙方法であって、用紙種別が「厚紙」であること、また、ページ２以降最終ページまでがＡＰＳ機能による自動給紙を行う給紙方法であって、用紙種別が「普通紙」であることを認識する。
【０１１３】
次いで、印刷処理制御部２１の制御の下、印刷機構部２５が印字出力処理を行う。
【０１１４】
具体的には、この場合、印刷機構部２５は、給紙制御において、ページ１についてはＡＰＳ機能を用いて「厚紙」が収容されている自動給紙トレイ５（図４のテーブル参照）を自動選択して給紙を行うと共に、ページ２以降最終ページについてはＡＰＳ機能を用いて「普通紙」が収容されている自動給紙トレイ１ｏｒ２（図４のテーブル参照）を自動選択して給紙を行う。
【０１１５】
また、印刷機構部２５は、ページ１の「厚紙」の印刷処理と、ページ２以降の「普通紙」の印刷処理において、用紙種別毎に適した各種印刷処理動作（即ち、「厚紙」／「普通紙」別に紙送り速度や定着温度の調節処理動作等）を行う。
【０１１６】
これにより、ユーザはＡＰＳ機能を用いて印刷指示においても複数の用紙種別を指定して複数の用紙種別が混在した出力結果が得られると共に、従来、単一の用紙種別情報に基づいて印字処理動作を行っていたことで発生していた紙詰まりや印刷品質の低下といった問題点を解消し、良好な印刷品質結果と共にユーザが所望する複数の用紙種別を混在した出力結果（図のＢ１）を得ることができる。尚、この図１０の例では、出力結果としては、ページ１が厚紙に印刷され、ページ２以降最終ページまでが普通紙に印刷され、ユーザが指示した通りとなる。
【０１１７】
次に、処理動作（２）として、ユーザが出力１文書のページ単位毎にＡＰＳ機能による自動給紙方法と手差しトレイからの給紙方法を指示すると共に、各ページ毎即ち自動給紙方法と手差しトレイ給紙方法個別にそれぞれ用紙種別を指定した場合のクライアント端末１のプリンタドライバ及び印刷装置の処理動作について説明する。
【０１１８】
尚、ここでは、ユーザの印刷指示例として、ユーザが出力１文書の最初のページ１で手差しトレイからの給紙を行う給紙方法を指定すると共に、出力１文書の最初のページ１を厚紙で印刷し、また、２ページ目以降のページでＡＰＳ機能による自動給紙を行う給紙方法を指定すると共に、２ページ目以降のページを普通紙にて印刷出力する指示をする場合について説明する。
【０１１９】
まず、ユーザは、クライアント端末１の所定のワープロソフトで作成した文書を印刷する場合にそのワープロソフトでディスプレイ１−１に表示されるＵＩ画面の所定の印刷指示項目をキーボード１−２或いはマウス１−３等を用いて選択する。
【０１２０】
すると、クライアント端末１では、ディスプレイ１−１に図６に示すような印刷画面１００１を表示する。
【０１２１】
その後、ユーザは、この印刷設定画面１００１に具わる「プロパティ」ボタン１００１−１をキーボード１−２或いはマウス１−３等を用いて選択押下する（Ｓ２０１）。
【０１２２】
すると、ディスプレイ１−１に図７に示す印刷設定画面１００２が切り替え表示される。
【０１２３】
その後、ユーザは、この印刷設定画面１００２に具わる給紙方法設定領域１００２−１の通常の給紙指定領域１００２−１ａにおいて１ページ目の給紙方法として「手差しトレイ」をキーボード１−２或いはマウス１−３等を用いて選択指定すると共に（Ｓ２０２）、２ページ目以降の給紙方法として「自動１」をキーボード１−２或いはマウス１−３等を用いて選択指定する（Ｓ２０３）。
【０１２４】
その後、ユーザは、同画面１００２に具わる「トレイ／排出」ボタン１００２−２をキーボード１−２或いはマウス１−３等を用いて選択指定する（Ｓ２０４）。
【０１２５】
すると、ディスプレイ１−１に図８に示す印刷設定画面１００３が切り替え表示される。
【０１２６】
その後、ユーザは、この印刷設定画面１００３以降、まず、１ページ目の用紙種類として「厚紙」を設定するものとする。
【０１２７】
この場合、ユーザは、上記Ｓ２０２にて１ページ目の給紙方法として「手差しトレイ」を指定しているので、印刷設定画面１００３に具わる用紙トレイ選択項目１００３−１において、「手差しトレイ」をキーボード１−２或いはマウス１−３等を用いて選択指定する（Ｓ２０５）。
【０１２８】
その後、ユーザは、同設定画面１００３に具わる手差し設定項目ボタン１００３−４をキーボード１−２或いはマウス１−３等を用いて選択指定する（Ｓ２０６）。
【０１２９】
すると、ディスプレイ１−１に図１１に示す手差しトレイの用紙種類設定画面１００５が切り替え表示される。
【０１３０】
その後、ユーザは、この設定画面１００５に具わる手差し用紙種類設定項目１００５−１において、所望の用紙種別として「厚紙」をキーボード１−２或いはマウス１−３等を用いて選択指定する（Ｓ２０７）。
【０１３１】
ここで、所望の用紙種別が設定できると、ユーザは同設定画面に具わる「ＯＫ」ボタン１００５−２をキーボード１−２或いはマウス１−３等を用いて選択指定する（Ｓ２０８）。尚、この時、上記一連の操作に基づく１ページ目の給紙方法に関連付けた用紙種別情報がプリンタドライバにより一時記憶される。
【０１３２】
すると、ディスプレイ１−１に図８に示す印刷設定画面１００３が切り替え表示される。
【０１３３】
その後、ユーザは、２ページ目以降のページの用紙種類として「普通紙」を設定するものとする。
【０１３４】
この場合、ユーザは、上記Ｓ２０３にて２ページ目以降の給紙方法として「自動１」を指定しているので、印刷設定画面１００３に具わる用紙トレイ選択項目１００３−１において、「自動１」をキーボード１−２或いはマウス１−３等を用いて選択指定する（Ｓ２０９）。
【０１３５】
その後、ユーザは、同設定画面１００３に具わる用紙種類の優先指定設定項目１００３−２をキーボード１−２或いはマウス１−３等を用いて選択指定する（Ｓ２１０）。
【０１３６】
すると、ディスプレイ１−１に図９に示す自動給紙トレイの用紙種類設定画面１００４が切り替え表示される。
【０１３７】
その後、ユーザは、この設定画面１００４に具わる用紙種類設定項目１００４−１において、所望の用紙種別として「普通紙」をキーボード１−２或いはマウス１−３等を用いて選択指定する（Ｓ２１１）。
【０１３８】
ここで、所望の用紙種別が設定できると、ユーザは同設定画面に具わる「ＯＫ」ボタン１００４−２をキーボード１−２或いはマウス１−３等を用いて選択指定する（Ｓ２１２）。尚、この時、上記一連の操作に基づく２ページ目以降の給紙方法に関連付けた用紙種別情報がプリンタドライバにより一時記憶される。
【０１３９】
すると、ディスプレイ１−１に図８に示す印刷設定画面１００３が切り替え表示される。
【０１４０】
その後、ユーザは同設定画面１００３に具わる「ＯＫ」ボタン１００３−３をキーボード１−２或いはマウス１−３等を用いて選択指定する（Ｓ２１３）。
【０１４１】
すると、ディスプレイ１−１に図６に示す印刷画面１００１が切り替え表示される。
【０１４２】
ここで、ユーザは所望の給紙方法及び用紙種別が設定できたので、同設定画面１００１に具わる「ＯＫ」ボタン１００１−２をキーボード１−２或いはマウス１−３等を用いて選択指定することにより印刷開始を指示する（Ｓ２１４）。
【０１４３】
次に、上述のような（Ｓ２０１）〜（Ｓ２１４）の一連のユーザ設定処理が行われた場合のクライアント端末１におけるプリンタドライバ１６−１の印刷ジョブ生成出力処理と、その生成出力処理によりクライアント端末１から受信した印刷ジョブを処理する印刷装置２の印刷処理動作について図１２を用いて説明する。
【０１４４】
図１２において、クライアント端末１では、プリンタドライバ１６−１が、上記図６乃至図９、および図１１の各種設定画面のユーザ指定により一時記憶した設定情報に基づき、各ページ単位毎の給紙方法及び用紙種別を指示する情報を付加した印刷ジョブＡ２を生成して出力する。
【０１４５】
この場合、ユーザにより出力１文書の最初のページ１を手差しトレイから厚紙を給紙させ、２ページ目以降をＡＰＳ機能による自動給紙トレイから普通紙を自動給紙させて印刷を行う設定がされているので、プリンタドライバ１６−１は、同図１２に示すような出力１文書のページ単位の用紙種別パラメータＰ２を生成する。
【０１４６】
具体的には、そのパラメータＰ２の内容としては、ページ１を手差しトレイから給紙を行う給紙方法を示す情報として「ページ１の用紙トレイ指定：手差しトレイ」が設定されると共に、そのページ１の給紙対象となる用紙種別を示す情報として「手差しトレイの用紙種別：厚紙」が設定される。
【０１４７】
また、ページ２以降最終ページまでをＡＰＳ機能により自動給紙を行う給紙方法を示す情報として「ページ２の用紙トレイ指定：自動１」…「ページＮ−１の用紙トレイ指定：自動１」，「ページＮの用紙トレイ指定：自動１」が設定されると共に、それら２ページ以降最終ページまでのＡＰＳ機能による自動給紙の対象となる用紙種別を示す情報として「自動１の用紙種別：普通紙」が設定される。
【０１４８】
そして、プリンタドライバ１６−１は、この設定したパラメータＰ２を付加した印刷ジョブＡ２を印刷装置２に向けて送出する。
【０１４９】
また、他方、印刷装置２では、クライアント端末１から送出された印刷ジョブＡ２を受信すると、まず、印刷処理制御部２１において用紙種別パラメータ（Ｐ２）を解析し、ページ単位毎に指定されている給紙方法及び用紙種別を判別する。
【０１５０】
この場合は、ページ１が手差しトレイから給紙を行う給紙方法であって、用紙種別が「厚紙」であること、また、ページ２以降最終ページまでがＡＰＳ機能による自動給紙を行う給紙方法であって、用紙種別が「普通紙」であることを認識する。
【０１５１】
次いで、印刷処理制御部２１の制御の下、印刷機構部２５が印字出力処理を行う。
【０１５２】
具体的には、この場合、印刷機構部２５は、給紙制御において、ページ１については手差しトレイにセットされている用紙「厚紙」を給紙すると共に、ページ２以降最終ページについてはＡＰＳ機能を用いて「普通紙」が収容されている自動給紙トレイ１ｏｒ２（図４のテーブル参照）を自動選択して給紙を行う。
【０１５３】
また、印刷機構部２５は、ページ１の「厚紙」の印刷処理と、ページ２以降の「普通紙」の印刷処理において、用紙種別毎に適した各種印刷処理動作（即ち、「厚紙」／「普通紙」別に紙送り速度や定着温度の調節処理動作）を行う。
【０１５４】
これにより、従来、ＡＰＳ機能による自動給紙方法と手差しトレイからの給紙方法を組み合わせた場合にそれぞれ個別に用紙種別を指定できなかったことで発生していた紙詰まりや印刷品質の低下といった問題点を解消し、良好な印刷品質結果と共にユーザが所望する複数の用紙種別を混在した出力結果（図のＢ２）を得ることができる。尚、この図１２の例では、出力結果としては、ページ１が厚紙に印刷され、ページ２以降最終ページまでが普通紙に印刷され、ユーザが指示した通りとなる。
【０１５５】
次に、処理動作（３）として、ユーザが出力１文書のプリント本文とそのプリント本文に付加挿入する用紙とで個別に給紙方法を指示すると共に、それらプリント本文とそのプリント本文に付加挿入する用紙それぞれ個別に用紙種別を指定した場合のクライアント端末１のプリンタドライバ及び印刷装置の処理動作について説明する。
【０１５６】
尚、ここでは、ユーザの印刷指示例として、ユーザが出力１文書の全てのページでＡＰＳ機能による自動給紙を行う給紙方法を指定すると共に、全てのページをＯＨＰで印刷し、また、プリント本文とは別に用紙を挿入する合紙をＡＰＳ機能による自動給紙を行う給紙方法を指定すると共に、その合紙を手差しトレイから給紙する厚紙にて印刷出力する指示をする場合について説明する。
【０１５７】
まず、ユーザは、クライアント端末１の所定のワープロソフトで作成した文書を印刷する場合にそのワープロソフトでディスプレイ１−１に表示されるＵＩ画面の所定の印刷指示項目をキーボード１−２或いはマウス１−３等を用いて選択する。
【０１５８】
すると、クライアント端末１では、ディスプレイ１−１に図６に示すような印刷画面１００１を表示する。
【０１５９】
その後、ユーザは、この印刷設定画面１００１に具わる「プロパティ」ボタン１００１−１をキーボード１−２或いはマウス１−３等を用いて選択押下する（Ｓ３０１）。
【０１６０】
すると、ディスプレイ１−１に図７に示す印刷設定画面１００２が切り替え表示される。
【０１６１】
その後、ユーザは、この印刷設定画面１００２に具わる給紙方法設定領域１００２−１の通常の給紙指定領域１００２−１ａにおいて１ページ目の給紙方法として「自動１」をキーボード１−２或いはマウス１−３等を用いて選択指定すると共に（Ｓ３０２）、２ページ目以降の給紙方法として「１ページ目と同一」をキーボード１−２或いはマウス１−３等を用いて選択指定する（Ｓ３０３）。
【０１６２】
その後、ユーザは、同画面１００２に具わる「トレイ／排出」ボタン１００２−２をキーボード１−２或いはマウス１−３等を用いて選択指定する（Ｓ３０４）。
【０１６３】
すると、ディスプレイ１−１に図８に示す印刷設定画面１００３が切り替え表示される。
【０１６４】
その後、ユーザは、この印刷設定画面１００３以降、まず、出力１文書の全てのページの用紙種別として「ＯＨＰ」を設定するものとする。
【０１６５】
この場合、ユーザは、上記Ｓ３０２及びＳ３０３において全てのページの給紙方法として「自動１」を指定しているので、印刷設定画面１００３に具わる用紙トレイ選択項目１００３−１において、「自動１」をキーボード１−２或いはマウス１−３等を用いて選択指定する（Ｓ３０５）。
【０１６６】
その後、ユーザは、同設定画面１００３に具わる用紙種類の優先指定設定項目ボタン１００３−２をキーボード１−２或いはマウス１−３等を用いて選択指定する（Ｓ３０６）。
【０１６７】
すると、ディスプレイ１−１に図９に示す自動給紙トレイの用紙種類設定画面１００４が切り替え表示される。
【０１６８】
その後、ユーザは、この設定画面１００４に具わる用紙種類設定項目１００４−１において、所望の用紙種別として「ＯＨＰ」をキーボード１−２或いはマウス１−３等を用いて選択指定する（Ｓ３０７）。
【０１６９】
ここで、所望の用紙種別が設定できると、ユーザは同設定画面に具わる「ＯＫ」ボタン１００４−２をキーボード１−２或いはマウス１−３等を用いて選択指定する（Ｓ３０８）。尚、この時、上記一連の操作に基づく全ページの給紙方法に関連付けた用紙種別情報がプリンタドライバにより一時記憶される。
【０１７０】
すると、ディスプレイ１−１に図８に示す印刷設定画面１００３が切り替え表示される。
【０１７１】
その後、ユーザは、ＯＨＰ合紙として出力１文書に付加挿入する用紙の用紙種類として「再生紙」を設定するものとする。
【０１７２】
この場合、ユーザは、同設定画面１００３に具わるＯＨＰ合紙設定項目ボタン１００３−５をキーボード１−２或いはマウス１−３等を用いて選択指定する（Ｓ３０９）。
【０１７３】
すると、ディスプレイ１−１に図１３に示すＯＨＰ合紙設定画面１００６が切り替え表示される。
【０１７４】
その後、ユーザは、この設定画面１００６に具わる合紙用トレイ選択設定項目１００６−１において、「手差しトレイ」をキーボード１−２或いはマウス１−３等を用いて選択指定すると共に（Ｓ３１０）、用紙種類設定項目１００６−２において、用紙種類「厚紙」をキーボード１−２或いはマウス１−３等を用いて選択指定する（Ｓ３１１）。尚、この例では、ユーザが合紙として挿入する用紙に出力文書を印刷しない（即ち、ＯＨＰに印刷される本文の各ページ毎に挿入される合紙にペアとなる本文の印刷を行わないこと。）場合とし、合紙のプリント設定項目１００６−３において「しない（白紙挿入）」を選択したものとする。
【０１７５】
ここで、所望の用紙種別が設定できると、ユーザは同設定画面に具わる「ＯＫ」ボタン１００６−４をキーボード１−２或いはマウス１−３等を用いて選択指定する（Ｓ３１２）。尚、この時、上記一連の操作に基づくＯＨＰ合紙の給紙方法に関連付けた用紙種別情報がプリンタドライバにより一時記憶される。
【０１７６】
すると、ディスプレイ１−１に図８に示す印刷設定画面１００３が切り替え表示される。
【０１７７】
その後、ユーザは同設定画面１００３に具わる「ＯＫ」ボタン１００３−３をキーボード１−２或いはマウス１−３等を用いて選択指定する（Ｓ３１３）。
【０１７８】
すると、ディスプレイ１−１に図６に示す印刷画面１００１が切り替え表示される。
【０１７９】
ここで、ユーザは所望の給紙方法及び用紙種別が設定できたので、同設定画面１００１に具わる「ＯＫ」ボタン１００１−２をキーボード１−２或いはマウス１−３等を用いて選択指定することにより印刷開始を指示する（Ｓ３１４）。
【０１８０】
次に、上述のような（Ｓ３０１）〜（Ｓ３１４）の一連のユーザ設定処理が行われた場合のクライアント端末１におけるプリンタドライバ１６−１の印刷ジョブ生成出力処理と、その生成出力処理によりクライアント端末１から受信した印刷ジョブを処理する印刷装置２の印刷処理動作について図１４を用いて説明する。
【０１８１】
図１４において、クライアント端末１では、プリンタドライバ１６−１が、上記図６乃至図９、および図１３の各種設定画面のユーザ指定により一時記憶した設定情報に基づき、各ページ単位毎の給紙方法及び用紙種別を指示する情報と、付加用紙の給紙方法および用紙種別を指示する情報を付加した印刷ジョブＡ３を生成して出力する。
【０１８２】
この場合、ユーザにより出力１文書の全てのページをＡＰＳ機能による自動給紙トレイからＯＨＰを自動給紙させると共に、ＯＨＰ合紙の用紙をＡＰＳ機能による自動給紙トレイから再生紙を自動給紙させて印刷を行う設定がされているので、プリンタドライバ１６−１は、同図１４に示すような出力１文書のページ単位の用紙種別パラメータ（Ｐ３）を生成すると共に、合紙出力パラメータを生成する。
【０１８３】
具体的には、そのパラメータ（Ｐ３）の内容としては、全てのページをＡＰＳ機能により自動給紙を行う給紙方法を示す情報として「ページ１の用紙トレイ指定：自動１」，「ページ２の用紙トレイ指定：自動１」…「ページＮ−１の用紙トレイ指定：自動１」，「ページＮの用紙トレイ指定：自動１」が設定されると共に、それら全ページの給紙対象となる用紙種別を示す情報として「自動１の用紙種別：ＯＨＰ」が設定される。
【０１８４】
また、合紙出力パラメータの内容としては、ＯＨＰ合紙をＡＰＳ機能により自動給紙を行う給紙方法を示す情報として「合紙用トレイ指定：自動１」が設定されると共に、その合紙の給紙対象となる用紙種別を示す情報として「自動１の用紙種類：再生紙」が設定される。
【０１８５】
尚、この場合、ユーザにより合紙には本文を印刷しない指定がされている場合なので、その旨を示す情報として「合紙にプリントしない（白紙挿入）」が設定されている。
【０１８６】
そして、プリンタドライバ１６−１は、この設定したパラメータ（Ｐ３）を付加した印刷ジョブＡ３を印刷装置２に向けて送出する。
【０１８７】
また、他方、印刷装置２では、クライアント端末１から送出された印刷ジョブＡを受信すると、まず、印刷処理制御部２１において用紙種別パラメータ（Ｐ３）を解析し、出力本文に指定されている給紙方法及び用紙種別を判別すると共に、合紙に指定されている給紙方法及び用紙種別を判別する。
【０１８８】
この場合は、出力本文の全ページがＡＰＳ機能による自動給紙を行う給紙方法であって、用紙種別が「ＯＨＰ」であることと、合紙がＡＰＳ機能による自動給紙を行う給紙方法であって、用紙種別が「再生紙」であることを認識する。
【０１８９】
次いで、印刷処理制御部２１の制御の下、印刷機構部２５が印字出力処理を行う。
【０１９０】
具体的には、この場合、印刷機構部２５は、給紙制御において、出力本文の全ページについてはＡＰＳ機能を用いて「ＯＨＰ」が収容されている自動給紙トレイ６（図４のテーブル参照）を自動選択して給紙を行うと共に、合紙についてはＡＰＳ機能を用いて「再生紙」が収容されている自動給紙トレイ４（図４のテーブル参照）を自動選択して給紙を行う。
【０１９１】
また、印刷機構部２５は、出力本文の全ページの「ＯＨＰ」の印刷処理と、合紙の「再生紙」の印刷処理において、用紙種別毎に適した各種印刷処理動作（即ち、「ＯＨＰ」／「再生紙」別に紙送り速度や定着温度の調節処理動作）を行う。
【０１９２】
これにより、従来、出力本文の用紙種別と、本文に付加する付加用紙とでそれぞれ個別に用紙種別を指定できなかったことで発生していた用紙毎の厚みの違いによる紙詰まりや用紙毎の好ましい定着温度の違いによる印刷品質の低下といった問題点を解消し、良好な印刷品質結果と共にユーザが所望する複数の用紙種別を混在した出力結果（図のＢ３）を得ることができる。尚、この図１４の例では、出力結果としては、出力本文の全ページがＯＨＰで印刷され、それら各ページ毎に付加挿入される合紙が再生紙で印刷され、ユーザが指示した通りとなる。
【０１９３】
即ち、以上説明した一連の処理を行うことにより、出力文書本文とは別の用紙を出力するような場合でも、それぞれ異なる用紙種別を指定することができるので、ユーザの使い勝手が向上する。
【０１９４】
次に、処理動作（４）として、上述の処理動作（３）の、ユーザが出力１文書のプリント本文とそのプリント本文に付加挿入する用紙毎に個別に給紙方法を指示すると共に、それらプリント本文とそのプリント本文に付加挿入する用紙毎にそれぞれ個別に用紙種別を指定した場合のクライアント端末１のプリンタドライバ及び印刷装置の処理動作の他の例について説明する。
【０１９５】
尚、ここでは、ユーザの印刷指示例として、ユーザが出力１文書の全てのページでＡＰＳ機能による自動給紙を行う給紙方法を指定すると共に、１ページ目から最終ページの１ページ前までを再生紙で印刷し、最終ページを上質紙で印刷し、また、プリント本文とは別に挿入する表紙を手差しトレイから給紙を行う給紙方法を指定すると共に、その表紙を厚紙にて印刷出力する指示をする場合について説明する。
【０１９６】
まず、ユーザは、クライアント端末１の所定のワープロソフトで作成した文書を印刷する場合にそのワープロソフトでディスプレイ１−１に表示されるＵＩ画面の所定の印刷指示項目をキーボード１−２或いはマウス１−３等を用いて選択する。
【０１９７】
すると、クライアント端末１では、ディスプレイ１−１に図６に示すような印刷画面１００１を表示する。
【０１９８】
その後、ユーザは、この印刷設定画面１００１に具わる「プロパティ」ボタン１００１−１をキーボード１−２或いはマウス１−３等を用いて選択押下する（Ｓ４０１）。
【０１９９】
すると、ディスプレイ１−１に図７に示す印刷設定画面１００２が切り替え表示される。
【０２００】
その後、ユーザは、この印刷設定画面１００２に具わる給紙方法設定領域１００２−１のページ単位で給紙指定領域１００２−１ｂにおいて、１ページ目からＮ−１ページ目までの給紙方法として「自動１」をキーボード１−２或いはマウス１−３等を用いて選択指定すると共に（Ｓ４０２）、Ｎページ目の給紙方法として「自動２」をキーボード１−２或いはマウス１−３等を用いて選択指定する（Ｓ４０３）。
【０２０１】
その後、ユーザは、同画面１００２に具わる「トレイ／排出」ボタン１００２−２をキーボード１−２或いはマウス１−３等を用いて選択指定する（Ｓ４０４）。
【０２０２】
すると、ディスプレイ１−１に図８に示す印刷設定画面１００３が切り替え表示される。
【０２０３】
その後、ユーザは、この印刷設定画面１００３以降、まず、出力１文書の１ページ目からＮ−１ページ目の用紙種別として「再生紙」を設定するものとする。
【０２０４】
この場合、ユーザは、上記Ｓ４０２の１ページから最終ページの１ページ前のＮ−１ページの給紙方法として「自動１」を指定しているので、印刷設定画面１００３に具わる用紙トレイ選択項目１００３−１において、「自動１」をキーボード１−２或いはマウス１−３等を用いて選択指定する（Ｓ４０５）。
【０２０５】
その後、ユーザは、同設定画面１００３に具わる用紙種類の優先指定設定項目ボタン１００３−２をキーボード１−２或いはマウス１−３等を用いて選択指定する（Ｓ４０６）。
【０２０６】
すると、ディスプレイ１−１に図９に示す自動給紙トレイの用紙種類設定画面１００４が切り替え表示される。
【０２０７】
その後、ユーザは、この設定画面１００４に具わる用紙種類設定項目１００４−１において、所望の用紙種別として「再生紙」をキーボード１−２或いはマウス１−３等を用いて選択指定する（Ｓ４０７）。
【０２０８】
ここで、所望の用紙種別が設定できると、ユーザは同設定画面に具わる「ＯＫ」ボタン１００４−２をキーボード１−２或いはマウス１−３等を用いて選択指定する（Ｓ４０８）。尚、この時、上記一連の操作に基づく全ページの給紙方法に関連付けた用紙種別情報がプリンタドライバにより一時記憶される。
【０２０９】
すると、ディスプレイ１−１に図８に示す印刷設定画面１００３が切り替え表示される。
【０２１０】
その後、ユーザは、出力１文書のＮページ目（最終ページ）の用紙種別として「上質紙」を設定するものとする。
【０２１１】
この場合、ユーザは、上記Ｓ４０３のＮページ（最終ページ）の給紙方法として「自動２」を指定しているので、印刷設定画面１００３に具わる用紙トレイ選択項目１００３−１において、「自動２」をキーボード１−２或いはマウス１−３等を用いて選択指定する（Ｓ４０９）。
【０２１２】
その後、ユーザは、同設定画面１００３に具わる用紙種類の優先指定設定項目ボタン１００３−２をキーボード１−２或いはマウス１−３等を用いて選択指定する（Ｓ４１０）。
【０２１３】
すると、ディスプレイ１−１に図９に示す自動給紙トレイの用紙種類設定画面１００４が切り替え表示される。
【０２１４】
その後、ユーザは、この設定画面１００４に具わる用紙種類設定項目１００４−１において、所望の用紙種別として「上質紙」をキーボード１−２或いはマウス１−３等を用いて選択指定する（Ｓ４１１）。
【０２１５】
ここで、所望の用紙種別が設定できると、ユーザは同設定画面に具わる「ＯＫ」ボタン１００４−２をキーボード１−２或いはマウス１−３等を用いて選択指定する（Ｓ４１２）。尚、この時、上記一連の操作に基づく全ページの給紙方法に関連付けた用紙種別情報がプリンタドライバにより一時記憶される。
【０２１６】
すると、ディスプレイ１−１に図８に示す印刷設定画面１００３が切り替え表示される。
【０２１７】
その後、ユーザは、出力文書とは別に付加挿入する表紙の用紙種類として「厚紙」を設定するものとする。
【０２１８】
この場合、ユーザは、同設定画面１００３に具わる表紙付け設定項目ボタン１００３−６をキーボード１−２或いはマウス１−３等を用いて選択指定する（Ｓ４１３）。
【０２１９】
すると、ディスプレイ１−１に図１５に示す表紙付け設定画面１００７が切り替え表示される。
【０２２０】
その後、ユーザは、この設定画面１００７に具わる表紙用トレイ選択設定項目１００７−１において、「手差しトレイ」をキーボード１−２或いはマウス１−３等を用いて選択指定すると共に（Ｓ４１４）、表紙用紙種類設定項目１００７−２において、用紙種類「厚紙」をキーボード１−２或いはマウス１−３等を用いて選択指定する（Ｓ４１５）。尚、この例では、、ユーザが表紙への印刷をしない場合であるので、表紙付け設定項目１００７−３において、「する（表紙へ印刷しない）」を選択したものとする。
【０２２１】
ここで、所望の用紙種別が設定できると、ユーザは同設定画面に具わる「ＯＫ」ボタン１００７−４をキーボード１−２或いはマウス１−３等を用いて選択指定する（Ｓ４１６）。尚、この時、上記一連の操作に基づく表紙付けの給紙方法に関連付けた用紙種別情報がプリンタドライバにより一時記憶される。
【０２２２】
すると、ディスプレイ１−１に図８に示す印刷設定画面１００３が切り替え表示される。
【０２２３】
その後、ユーザは同設定画面１００３に具わる「ＯＫ」ボタン１００３−３をキーボード１−２或いはマウス１−３等を用いて選択指定する（Ｓ４１７）。
【０２２４】
すると、ディスプレイ１−１に図６に示す印刷画面１００１が切り替え表示される。
【０２２５】
ここで、ユーザは所望の給紙方法及び用紙種別が設定できたので、同設定画面１００１に具わる「ＯＫ」ボタン１００１−２をキーボード１−２或いはマウス１−３等を用いて選択指定することにより印刷開始を指示する（Ｓ４１８）。
【０２２６】
次に、上述のような（Ｓ４０１）〜（Ｓ４１８）の一連のユーザ設定処理が行われた場合のクライアント端末１におけるプリンタドライバ１６−１の印刷ジョブ生成出力処理と、その生成出力処理によりクライアント端末１から受信した印刷ジョブを処理する印刷装置２の印刷処理動作について図１６を用いて説明する。
【０２２７】
図１６において、クライアント端末１では、プリンタドライバ１６−１が、上記図６乃至図９、および図１５の各種設定画面のユーザ指定により一時記憶した設定情報に基づき、各ページ単位毎の給紙方法及び用紙種別を指示する情報を付加した印刷ジョブＡ４を生成して出力する。
【０２２８】
この場合、ユーザにより出力１文書の最初のページ１から最終ページの１つ前のページＮ−１までをＡＰＳ機能による自動給紙トレイから再生紙を自動給紙させると共に、最終ページＮをＡＰＳ機能による自動給紙トレイから上質紙を自動給紙させると共に、付加挿入する表紙の用紙を手差しトレイから厚紙を給紙させて印刷を行う設定がされているので、プリンタドライバ１６−１は、同図１６に示すような出力１文書のページ単位の用紙種別パラメータ（Ｐ４）を生成すると共に、表紙出力パラメータを生成する。
【０２２９】
具体的には、そのパラメータ（Ｐ４）の内容としては、ページ１からページＮ−１までをＡＰＳ機能により自動給紙を行う給紙方法を示す情報として「ページ１の用紙トレイ指定：自動１」，「ページ２の用紙トレイ指定：自動１」…「ページＮ−１の用紙トレイ指定：自動１」が設定されると共に、そのページ１からページＮ−１までの給紙対象となる用紙種別を示す情報として「自動１の用紙種別：再生紙」が設定される。
【０２３０】
また、ページＮをＡＰＳ機能により自動給紙を行う給紙方法を示す情報として「ページＮの用紙トレイ指定：自動２」が設定されると共に、ページＮの給紙対象となる用紙種別を示す情報として「自動２の用紙種別：上質紙」が設定される。
【０２３１】
また、表紙出力パラメータの内容としては、表紙を手差しトレイから給紙を行う給紙方法を示す情報として「表紙用トレイ指定：手差しトレイ」が設定されると共に、その表紙の給紙対象となる用紙種別を示す情報として「手差しトレイの表紙用用紙種類：厚紙」が設定される。
【０２３２】
尚、この例では、ユーザにより表紙には印刷しない指定がされている場合なので、その旨を示す情報として「表紙への印刷しない」が設定されている。
【０２３３】
そして、プリンタドライバ１６−１は、この設定したパラメータ（Ｐ４）を付加した印刷ジョブＡ４を印刷装置２に向けて送出する。
【０２３４】
また、他方、印刷装置２では、クライアント端末１から送出された印刷ジョブＡ４を受信すると、まず、印刷処理制御部２１において用紙種別パラメータ（Ｐ４）を解析し、出力本文に指定されている給紙方法及び用紙種別を判別すると共に、付加挿入する表紙に指定されている給紙方法及び用紙種別を判別する。
【０２３５】
この場合は、出力本文の最初のページ１から最終ページの一つ前のページＮ−１までがＡＰＳ機能による自動給紙を行う給紙方法であって用紙種別が「再生紙」であることと、出力本文の最終ページＮがＡＰＳ機能による自動給紙を行う給紙方法であって用紙種別が「上質紙」であることと、表紙が手差しトレイから給紙を行う給紙方法であって用紙種別が「厚紙」であることを認識する。
【０２３６】
次いで、印刷処理制御部２１の制御の下、印刷機構部２５が印字出力処理を行う。
【０２３７】
具体的には、この場合、印刷機構部２５は、給紙制御において、表紙付けとして最初に手差しトレイにセットされている用紙「厚紙」を給紙すると共に、出力本文のページ１からページＮ−１についてはＡＰＳ機能を用いて「再生紙」が収容されている自動給紙トレイ４（図４のテーブル参照）を自動選択して給紙を行うと共に、ページＮについてはＡＰＳ機能を用いて「上質紙」が収容されている自動給紙トレイ３（図４のテーブル参照）を自動選択して給紙を行う。
【０２３８】
また、印刷機構部２５は、出力本文のページ１からページＮ−１までの「再生紙」の印刷処理と、ページＮの「上質紙」の印刷処理と、表紙の「厚紙」の印刷処理において、用紙種別毎に適した各種印刷処理動作（即ち、「再生紙」／「上質紙」／「厚紙」別に紙送り速度や定着温度の調節処理動作）を行う。
【０２３９】
これにより、従来、出力本文の用紙種別と、本文に付加する付加用紙とでそれぞれ個別に用紙種別を指定できなかったことで発生していた用紙毎の厚みの違いによる紙詰まりや用紙毎の好ましい定着温度の違いによる印刷品質の低下といった問題点を解消し、良好な印刷品質結果と共にユーザが所望する複数の用紙種別を混在した出力結果（図のＢ４）を得ることができる。尚、この図１６の例では、出力結果としては、出力本文に付加される表紙は厚紙であり、出力本文のページ１からＮ−１ページ目までが再生紙で印刷され、最終ページＮが上質紙で印刷され、ユーザが指示した通りとなる。
【０２４０】
即ち、このような一連の処理を行うことにより、ユーザは出力文書とその出力文書に添付して出力する表紙のそれぞれの用紙種類を個別に指定でき、印刷装置側で上記ユーザが指定した用紙種別に応じて出力文書の本文と添付する表紙それぞれで異なる用紙種別による出力を行うことができるので、ユーザの使い勝手が向上する。
【０２４１】
尚、上記図１の実施例では、クライアント端末を複数示し、印刷装置を１つのみしか示していないが、これに限らず、クライアント端末及び印刷装置の両方共に１つづつにしても良く、また、クライアント端末を１つにし、印刷装置を複数にしても良い。
【０２４２】
また、上記実施例では、本発明の特徴部分であるユーザが複数の用紙種別を指定する場合についてのみ説明したが、言うまでも無く従来と同様にユーザが用紙種別を１のみ指定することも可能である。
【０２４３】
また、上記実施例では、印刷装置２が用紙種別設定テーブルの設定情報を参照してＡＰＳ機能による給紙制御機能を具える構成について示したが、この他に、そのようなＡＰＳ機能ではなく、ユーザにより指定された用紙種別に基づき各自動給紙トレイ等に設置された用紙種別検知センサを用いてどの自動給紙トレイにどのような種別の用紙が収容されているかを自動認識可能な機能を有する印刷装置に適用しても良いものとする。
【０２４４】
また、上記実施例では、用紙種別に応じて適した印刷処理動作として、紙送り速度或いは定着温度等の調節処理動作を挙げているが、これ以外にも、用紙種別の違いに合わせて処理を調節したほうが良いものがあれば印刷ジョブの用紙種別情報に応じて印刷装置側で行うようにしても良い。
【０２４５】
また、上記実施例に示した印刷設定画面では、プリント本文と別の用紙を出力する機能として、ＯＨＰ合紙及び表紙付けについて説明したが、これ以外にも印刷管理に使用するユーザＩＤやユーザ名を印刷する「バナーシート」を指定できる設定項目を設けても良いし、また、予め印刷されている用紙或いは特定の用紙を出力１文書の表紙、或いは裏表紙にする、或いは出力１文書の任意のページ個所に印刷せずに挿入する為の「用紙挿入」を指定できる設定項目を設けても良い。
【０２４６】
また、上記実施例では、ページ単位で給紙方法と用紙種別を示す情報を生成する構成を示したが、ページ単位でなくても、例えば、出力１文書の特定のページ群とその他の残りのページ群のように、まとまったページ単位で個別に給紙方法および用紙種別を示す情報生成して印刷装置側で把握させるようにしても良い。
【０２４７】
また、上記実施例に示した印刷設定画面はあくまでも一例であって、それら以外の構成でも良く、結局は、ユーザがページ単位で給紙方法と用紙種別を指定できれば良く、またそれに加えてユーザが出力本文とその本文とは別に付加挿入する用紙とでそれぞれ個別に給紙方法と用紙種別を指定できるものであれば良い。
【０２４８】
即ち、（１）紙質ＡＰＳにおける用紙種類指定を複数用意する場合。紙質ＡＰＳ機能における用紙種類指定を２つ以上指定可能とし、出力する文書の各ページごとに指定可能な用紙トレイ指定において、複数の用紙種類指定のうちどの用紙種類指定を用いた紙質ＡＰＳ機能であるかを選択させる。具体的な構成としては、出力する文書の用紙ごとに指定可能な用紙トレイ指定と、用紙トレイ指定において、紙質ＡＰＳ機能を指定する選択肢 「自動１〜Ｎ（Ｎ：任意の整数）、少なくとも２つ以上」と、「自動１〜Ｎ」のそれぞれに対応して、使用される用紙種類を指定する手段 「自動用紙種類」と、用紙トレイ指定にて「自動１〜Ｎ」が指定されているページについては、「自動用紙種類」にて指定されている用紙種類が装着されている給紙トレイの用紙を使用して出力する機構を具える。
【０２４９】
また、（２）紙質ＡＰＳと手差し給紙の用紙種類パラメータを分離する場合。紙質ＡＰＳ機能における用紙種類指定と、手差し給紙指定における用紙種類指定を、それぞれ別途指定することを可能とする。具体的な構成としては、出力する文書の用紙ごとに指定可能な用紙トレイ指定と、用紙トレイ指定において、紙質ＡＰＳ機能を使用する選択肢「自動」と、用紙トレイ指定において、手差しからの給紙を行う選択肢「手差しトレイ」と、紙質ＡＰＳにおいて使用される用紙種類指定(自動用紙種類)と、手差し給紙において使用される用紙種類指定(手差し用紙種類)と、用紙トレイ指定において「自動」が指定されているページについては、自動用紙種類にて指定されている用紙種類が装着されている給紙トレイの用紙を使用して出力する機構と、用紙トレイ指定において"手差し"が指定されているページについては、手差しトレイから手差し用紙種類にて指定されている用紙種類の用紙を使用して出力する機構とを具える。
【０２５０】
また、（３）ＯＨＰ合紙、用紙挿入、バナーシート出力における用紙選択にて用紙種類パラメータを分離する場合。ＯＨＰ合紙、用紙挿入、バナーシートなど、プリント出力において本文以外に任意の用紙を出力する機能において、その用紙選択手段にそれぞれ個別の用紙種類を指定可能な紙質ＡＰＳ機能を用意する。具体的な構成としては、プリント出力時に本文とは別に用紙を挿入する機能と、挿入する用紙に対する用紙トレイ指定と、プリント本文の用紙に対する用紙トレイ指定と、挿入用紙、プリント本文それぞれにおける用紙トレイ指定において、紙質APS機能を使用する選択肢「自動」と、プリント本文の用紙トレイ選択の"自動"において使用される用紙種類指定 「本文用紙種類」と、挿入用紙における用紙トレイ選択の"自動"において使用される用紙種類指定 「挿入用紙種類」と、用紙挿入の機能ごとに、用紙トレイ指定、およびそれに対する用紙種類指定を用意する。
【０２５１】
また、（４）表紙、裏表紙の用紙選択において用紙種類パラメータを分離する場合。プリント本文における先頭ページ、最終ページ、または任意のページを指定し、その他のページとは別途用紙選択手段を用意する表紙機能において、それぞれの用紙選択手段における紙質ＡＰＳの用紙種類指定を個別に指定可能とする。具体的な構成としては、出力する文書の先頭ページ、最終ページ、または任意のページについて、個別に用紙選択手段を用意する表紙機能と、各用紙選択手段における用紙トレイ指定と、用紙トレイにおいて紙質ＡＰＳ機能を使用する選択肢「自動」と、紙質ＡＰＳにおいて使用される用紙種類指定と、用紙種類指定を、各用紙選択手段における用紙トレイ指定それぞれに用意し、個別に指定可能とする。
【０２５２】
【発明の効果】
以上説明した本発明によれば、自動給紙方法を指定する場合でもユーザが複数の用紙種別を指定可能とし、印刷装置側で指定された複数の用紙種別毎に自動給紙制御を行わせるようにしたため、自動給紙指定においても１度にプリント出力する文書を複数の用紙種別を混在させた形態で出力でき、ユーザの使い勝手を向上させることができる。
【０２５３】
また、本発明によれば、１度にプリント出力する文書を複数の用紙種別を混在させた形態で出力させるような場合に、それら複数の用紙種別を印刷装置側で認識させ用紙種別毎に適した印刷処理を行わせるようにしたため、紙詰まりや印刷品質の劣化を防ぐことができる。
【図面の簡単な説明】
【図１】本発明を適用した印刷システムの一構成例を示す図。
【図２】図１に示したクライアント端末の一構成例を示す図。
【図３】図１に示した印刷装置の一構成例を示す図。
【図４】用紙種別指定テーブルの一構成例を示す図。
【図５】本発明に係わる印刷システムの大まかな処理動作を示す図。
【図６】印刷画面の一構成例を示す図。
【図７】印刷設定画面の一構成例を示す図。
【図８】印刷設定画面の一構成例を示す図。
【図９】自動給紙トレイの用紙種類設定画面の一構成例を示す図。
【図１０】処理動作（１）の処理の流れを示す図。
【図１１】手差しトレイの用紙種類設定画面の一構成例を示す図。
【図１２】処理動作（２）の処理の流れを示す図。
【図１３】ＯＨＰ合紙設定画面の一構成例を示す図。
【図１４】処理動作（３）の処理の流れを示す図。
【図１５】表紙付け設定画面の一構成例を示す図。
【図１６】処理動作（４）の処理の流れを示す図。
【符号の説明】
１００…印刷システム、１…クライアント端末（１），クライアント端末（２）、２…印刷装置、３…ネットワーク、１１…制御部、１２…表示処理部、１３…操作処理部、１４…記憶媒体読取り／書込み部、１５…作業メモリ部、１６…記憶装置（ＨＤＤ）、１６−１…プリンタドライバソフト、１７…通信インタフェース部、１−１…ディスプレイ、１−２…キーボード、１−３…マウス、２１…印刷処理制御部、２１−１…印刷ジョブ解析処理部、２２…通信インタフェース部、２３…メモリ部、２４…記憶装置、２５…印刷機構部
【図１】
0004795629.tif 000002
【図２】
0004795629.tif 000003
【図３】
0004795629.tif 000004
【図４】
0004795629.tif 000005
【図５】
0004795629.tif 000006
【図６】
0004795629.tif 000007
【図７】
0004795629.tif 000008
【図８】
0004795629.tif 000009
【図９】
0004795629.tif 000010
【図１０】
0004795629.tif 000011
【図１１】
0004795629.tif 000012
【図１２】
0004795629.tif 000013
【図１３】
0004795629.tif 000014
【図１４】
0004795629.tif 000015
【図１５】
0004795629.tif 000016
【図１６】
0004795629.tif 000017